(57)【要約】【課題】消費電力を低減させ、かつ、タッチ検出感度の低下を抑制することが可能なタッチ検出機能付き表示装置及びタッチ検出方法を提供することにある。【解決手段】本実施形態に係るタッチ検出機能付き表示装置は、表示部と、検出部と、制御部とを具備する。表示部は、画像を表示するための表示動作を行う。検出部は、表示動作が行われる表示期間とは異なる第１のタッチ検出期間において、外部近接物体に応じた検出信号を検出するためのタッチ検出動作を行う。制御部は、表示動作及びタッチ検出動作を制御する。１フレームの画像が表示される１フレーム期間は、表示期間、第１タッチ検出期間及び画像の表示を調整するための表示調整期間を含む。制御部は、通常駆動時の第１の１フレーム期間よりも長い第２のフレーム期間で低速駆動する場合に延長された表示調整期間に第２のタッチ検出期間を割り当てる。【選択図】図１３
2018060319.tif 000002
【特許請求の範囲】
【請求項１】
画素信号に基づいて画像を表示するための表示動作を行う表示部と、
前記表示動作が行われる表示期間とは異なる第１のタッチ検出期間において、外部近接物体に応じた検出信号を検出するためのタッチ検出動作を行う検出部と、
前記表示動作及び前記タッチ検出動作を制御する制御部と
を具備し、
前記表示動作によって１フレームの画像が表示される１フレーム期間は、前記表示期間、前記第１のタッチ検出期間及び前記画像の表示を調整するための表示調整期間を含み、
前記制御部は、通常駆動時の第１の１フレーム期間よりも長い第２の１フレーム期間で低速駆動する場合に前記表示調整期間を延長し、当該延長された表示調整期間に前記タッチ検出動作が行われる第２のタッチ検出期間を割り当てる
タッチ検出機能付き表示装置。
【請求項２】
前記第２の１フレーム期間に含まれる前記表示期間及び前記第１のタッチ検出期間の長さは、前記第１の１フレーム期間に含まれる前記表示期間及び前記第１のタッチ検出期間の長さと同一である、請求項１記載のタッチ検出機能付き表示装置。
【請求項３】
前記制御部は、前記第１の１フレーム期間と前記第２の１フレーム期間とを切り替え、前記第１の１フレーム期間で通常駆動する場合には、当該第１の１フレーム期間に含まれる表示調整期間に前記第２のタッチ検出期間を割り当てない、請求項１記載のタッチ検出機能付き表示装置。
【請求項４】
外部から画素データが書き込まれるメモリを備え、
前記表示部は、前記メモリに書き込まれた画素データから生成される画素信号に基づいて表示動作を行い、
前記制御部は、前記メモリに書き込まれる画素データに基づいて前記第１の１フレーム期間と前記第２の１フレーム期間とを切り替える
請求項３記載のタッチ検出機能付き表示装置。
【請求項５】
前記表示期間及び前記第１のタッチ検出期間は、前記第２の１フレーム期間において交互に配置され、
前記制御部は、前記第１のタッチ検出期間と同一の長さの前記第２のタッチ検出期間を、前記第１のタッチ検出期間と同一の間隔で前記表示調整期間に割り当てる
請求項１記載のタッチ検出機能付き表示装置。
【請求項６】
前記検出部は、前記第１及び第２のタッチ検出期間にタッチ駆動電圧が印加される複数の駆動電極を有し、
前記制御部は、前記複数の駆動電極にタッチ駆動電圧を印加する周期を前記１フレームの画像が表示される周期と独立して制御する
請求項１記載のタッチ検出機能付き表示装置。
【請求項７】
前記表示部は、前記表示期間に表示駆動電圧が印加される複数の共通電極を含み、
前記複数の共通電極は、前記複数の駆動電極として用いられる
請求項６記載のタッチ検出機能付き表示装置。
【請求項８】
前記表示調整期間は、前記画像の表示の極性を反転する垂直バックポーチ期間及び当該垂直バックポーチ期間の前に設けられている垂直フロントポーチ期間を含み、
前記制御部は、前記低速駆動する場合、前記垂直フロントポーチ期間を延長し、当該延長された垂直フロントポーチ期間に前記第２のタッチ検出期間を割り当てる
請求項１記載のタッチ検出機能付き表示装置。
【請求項９】
画素信号に基づいて画像を表示するための表示動作を行うステップと、
前記表示動作が行われる表示期間とは異なる第１のタッチ検出期間において、外部近接物体に応じた検出信号を検出するためのタッチ検出動作を行うステップと、
前記表示動作及び前記タッチ検出動作を制御するステップと
を備え、
前記表示動作によって１フレームの画像が表示される１フレーム期間は、前記表示期間、前記第１のタッチ検出期間及び前記画像の表示を調整するための表示調整期間を含み、
前記制御するステップは、
通常駆動時の第１の１フレーム期間よりも長い第２の１フレーム期間で低速駆動する場合に前記表示調整期間を延長するステップと、
前記延長された表示調整期間に前記タッチ検出動作が行われる第２のタッチ検出期間を割り当てるステップと
を具備するタッチ検出方法。
【請求項１０】
前記第２の１フレーム期間に含まれる前記表示期間及び前記第１のタッチ検出期間の長さは、前記第１の１フレーム期間に含まれる前記表示期間及び前記第１のタッチ検出期間の長さと同一である、請求項９記載のタッチ検出方法。
【請求項１１】
前記第１の１フレーム期間と前記第２の１フレーム期間とを切り替えるステップと、
前記割り当てるステップにおいて、前記第１の１フレーム期間で通常駆動する場合には、当該第１の１フレーム期間に含まれる表示調整期間に前記第２のタッチ検出期間を割り当てない
を含む、請求項９記載のタッチ検出方法。
【請求項１２】
外部からの画素データをメモリに書き込むステップを含み、
前記表示動作を行うステップにおいて、前記メモリに書き込まれた画素データから生成される画素信号に基づいて表示動作を行い、
前記切り替えるステップにおいて、前記メモリに書き込まれる画素データに基づいて前記第１の１フレーム期間と前記第２の１フレーム期間とを切り替える
請求項１１記載のタッチ検出方法。
【請求項１３】
前記表示期間及び前記第１のタッチ検出期間は、前記第２の１フレーム期間において交互に配置されており、
前記割り当てるステップにおいて、前記第１のタッチ検出期間と同一の長さの前記第２のタッチ検出期間を、前記第１のタッチ検出期間と同一の間隔で前記表示調整期間に割り当てる
請求項９記載のタッチ検出方法。
【請求項１４】
前記制御することは、前記第１及び第２のタッチ検出期間にタッチ駆動電圧が印加される複数の駆動電極に当該タッチ駆動電圧を印加する周期を前記１フレームの画像が表示される周期と独立して制御することを含む、請求項９記載のタッチ検出方法。
【請求項１５】
前記表示期間に表示駆動電圧が印加される複数の共通電極は、前記複数の駆動電圧として用いられる、請求項１４記載のタッチ検出方法。
【請求項１６】
前記表示調整期間は、前記画像の表示の極性を反転する垂直バックポーチ期間及び当該垂直バックポーチ期間の前に設けられている垂直フロントポーチ期間を含み、
前記延長するステップにおいて、前記低速駆動する場合に前記垂直フロントポーチ期間を延長し、
前記割り当てるステップにおいて、前記延長された垂直フロントポーチ期間に前記第２のタッチ検出期間を割り当てる
請求項９記載のタッチ検出方法。
【発明の詳細な説明】
【技術分野】
【０００１】
本発明は、タッチ検出機能付き表示装置及びタッチ検出方法に関する。
【背景技術】
【０００２】
近年では、例えばスマートフォン及びタブレットコンピュータのような電子機器が広く普及している。このような電子機器においては、タッチ検出機能を有する表示装置（以下、タッチ検出機能付き表示装置と表記）が採用されている。
静電容量方式を採用したタッチ検出機能付き表示装置においては、例えば、ストライプ状に形成される駆動電極と検出電極が互いに交差するように配置されている。このタッチ検出機能付き表示装置の画面に指先が接触された場合には、駆動電極と検出電極とが交差する部分における静電容量（値）が変化する。静電容量方式においては、このような静電容量の変化を利用して画面に対する指先の接触を検出することができる。
【０００３】
また、静電容量方式を採用したタッチ検出機能付き表示装置に関して、２次元配列された画素が有する画像表示用の電極（共通電極）を上記した駆動電極として兼用することによって、当該装置の薄型化及び画質の向上を実現する技術が提案されている。
このような技術において、１フレームの画像が表示される期間（１フレーム期間）には、画像表示のための表示動作が行われる表示期間及びタッチ検出のためのタッチ検出動作が行われるタッチ検出期間が交互に配置される。なお、１フレーム期間の前後には、垂直バックポーチ期間及び垂直フロントポーチ期間と称される表示調整期間が設けられている。
【先行技術文献】
【特許文献】
【０００４】
【特許文献１】特開２０１５−２０１１７５号公報
【発明の概要】
【発明が解決しようとする課題】
【０００５】
ここで、タッチ検出機能付き表示装置の通常駆動時における画像（映像）のリフレッシュレート（フレームレート）が例えば６０Ｈｚであるものとすると、消費電力を低減させるために例えばリフレッシュレートを３０Ｈｚとしてタッチ検出機能付き表示装置を低速駆動させる場合がある。
【０００６】
この場合には通常駆動時と比較して１フレーム期間が長くなるが、上記した表示期間及びタッチ検出期間は変更せず、例えば表示調整期間を延長することによって低速駆動を実現する場合がある。
【０００７】
しかしながら、表示調整期間期間中にタッチ検出動作が行われないため、表示調整期間を延長した場合にはタッチ検出感度（レポートレート）が低下する。
そこで、本発明が解決しようとする課題は、消費電力を低減させ、かつ、タッチ検出感度の低下を抑制することが可能なタッチ検出機能付き表示装置及びタッチ検出方法を提供することにある。
【課題を解決するための手段】
【０００８】
本実施形態に係るタッチ検出機能付き表示装置は、表示部と、検出部と、制御部とを具備する。前記表示部は、画素信号に基づいて画像を表示するための表示動作を行う。前記検出部は、前記表示動作が行われる表示期間とは異なる第１のタッチ検出期間において、外部近接物体に応じた検出信号を検出するためのタッチ検出動作を行う。前記制御部は、前記表示動作及び前記タッチ検出動作を制御する。前記表示動作によって１フレームの画像が表示される１フレーム期間は、前記表示期間、前記第１タッチ検出期間及び前記画像の表示を調整するための表示調整期間を含む。前記制御部は、通常駆動時の第１の１フレーム期間よりも長い第２のフレーム期間で低速駆動する場合に前記表示調整期間を延長し、当該延長された表示調整期間に前記タッチ検出動作が行われる第２のタッチ検出期間を割り当てる。
【図面の簡単な説明】
【０００９】
【図１】実施形態に係るタッチ検出機能付き表示装置の概略構成の一例を示す斜視図。
【図２】主として表示装置に備えられる表示パネルの概略構成の一例を示す図。
【図３】表示装置の断面構造の一例を模式的に示す図。
【図４】タッチ検出機構の基本動作を説明するための図。
【図５】共通電極とタッチ検出電極との構成例を説明するための図。
【図６】表示期間とタッチ検出期間との関係について説明するための図。
【図７】主としてパネルドライバの内部の回路構成の一例を示す図。
【図８】共通電極ＣＯＭＥに供給される駆動信号について説明するための図。
【図９】通常駆動時における表示期間及びタッチ検出期間の配置について説明するための図。
【図１０】通常駆動時における表示動作及びタッチ検出動作について具体的に説明するための図。
【図１１】本実施形態に対する比較例について説明するための図。
【図１２】本実施形態に対する比較例について説明するための図。
【図１３】低速駆動時における表示期間及びタッチ検出期間の配置について説明するための図。
【図１４】低速駆動時における表示動作及びタッチ検出動作について具体的に説明するための図。
【図１５】駆動状態を切り替える際の表示装置の処理手順の一例を示すフローチャート。
【図１６】通常駆動時の表示動作及びタッチ検出動作に関する各種信号の関係を表すタイミングチャート。
【図１７】本実施形態における低速駆動時の表示動作及びタッチ検出動作に関する各種信号の関係を表すタイミングチャート。
【図１８】比較例における低速駆動時の表示動作及びタッチ検出動作に関する各種信号の関係を表すタイミングチャート。
【発明を実施するための形態】
【００１０】
以下、図面を参照して、実施形態について説明する。
図１は、本実施形態に係るタッチ検出機能付き表示装置ＤＳＰの概略構成を示す斜視図である。タッチ検出機能付き表示装置としては、表示装置の表示面上にタッチパネルを形成したいわゆるオンセル型と称されるタッチ検出機構を備えるものの他に、表示装置にもともと備えられている画像表示用の共通電極を、一対のタッチ検出用の電極のうちの一方として兼用し、他方の電極（タッチ検出電極）をこの共通電極と交差するように配置した、いわゆるインセル型と称されるタッチ検出機構を備えるものがある。以下の説明において、本実施形態に係るタッチ検出機能付き表示装置（以下、単に表示装置と表記）ＤＳＰはインセル型と称されるタッチ検出機構を備えるものとして説明する。
【００１１】
図１に示すように、表示装置ＤＳＰは、表示パネルＰＮＬを備える。表示パネルＰＮＬは、タッチ検出機構一体型の表示パネルである。表示パネルＰＮＬとしては、表示機能層として液晶層を用いた表示パネル及び有機発光層を用いた有機エレクトロルミネッセンス（ＥＬ）パネル等が用いられるが、ここでは液晶層を用いた表示パネルについて説明する。
【００１２】
なお、本実施形態において「タッチ検出」は、指先（またはペン）等の被検出物が表示パネルＰＮＬに接触したことを検出することのみでなく、例えば被検出物が表示パネルＰＮＬに近接したことを検知することをも含むものとする。
表示パネルＰＮＬは、第１基板ＳＵＢ１（アレイ基板）と、第１基板ＳＵＢ１に対向配置された第２基板ＳＵＢ２（対向基板）と、第１基板ＳＵＢ１及び第２基板ＳＵＢ２の間に形成された液晶層（図示せず）とを備える。なお、例えば第１基板ＳＵＢ１上には、表示パネルＰＮＬを駆動するパネルドライバ（液晶ドライバ）ＩＣ１が搭載されている。
【００１３】
表示パネルＰＮＬは、例えば容量変化検出型のタッチ検出機構ＳＥと一体化して構成されている。図１において、表示パネルＰＮＬの表示領域ＤＡの面上には、タッチ検出機構ＳＥを形成するタッチ検出電極Ｒｘが設けられている。タッチ検出電極Ｒｘは、例えば透明電極であり、ＩＴＯ（インジウム・ティン・オキサイド）等で構成される。なお、タッチ検出電極Ｒｘは、表示パネルＰＮＬの外部に設けられていてもよいし、内部に設けられていてもよい。タッチ検出機構ＳＥは、タッチドライバＩＣ２により制御される。
【００１４】
また、表示装置ＤＳＰの外部にはホスト装置ＨＯＳが設けられ、当該ホスト装置ＨＯＳは、フレキシブル配線基板ＦＰＣ１及びパネルドライバＩＣ１を介して、表示パネルＰＮＬに接続されている。また、ホスト装置ＨＯＳは、フレキシブル配線基板ＦＰＣ２及びタッチドライバＩＣ２を介して、タッチ検出機構ＳＥに接続されている。
【００１５】
なお、パネルドライバＩＣ１及びタッチドライバＩＣ２は、同一チップとして構成されていても構わない。タッチドライバＩＣ２をパネルドライバＩＣ１と同一チップとする場合には、当該チップを例えば第２基板ＳＵＢ２、フレキシブル配線基板ＦＰＣ１またはフレキシブル配線基板ＦＰＣ２上に配置することにより、フレキシブル配線基板ＦＰＣ１及びフレキシブル配線基板ＦＰＣ２の一方を省略してもよい。
【００１６】
第１基板ＳＵＢ１の下側（つまり、表示パネルＰＮＬの背面側）には、表示パネルＰＮＬを照明する照明具としてバックライトユニットＢＬが配置されている。フレキシブル配線基板ＦＰＣ３は、バックライトユニットＢＬとホスト装置ＨＯＳとを接続する。バックライトユニットＢＬとしては、種々の形態のバックライトユニットが利用可能であり、光源としては、発光ダイオード（ＬＥＤ）を利用したもの及び冷陰極管（ＣＣＦＬ）を利用したもの等がある。ここでは、表示パネルＰＮＬの背面側に配置されるバックライトユニットＢＬを使用する場合について説明したが、当該表示パネルＰＮＬの表示面側に配置されるフロントライトが使用されても構わない。また、導光板とそのサイドに配置されるＬＥＤまたは冷陰極管を用いた照明具が使用されてもよいし、発光素子を平面的に配列した点状光源を用いた照明具が使用されてもよい。なお、表示装置ＤＳＰが反射型の表示装置である場合、または表示パネルＰＮＬが有機ＥＬを用いている場合には、照明具を備えない構成であってもよい。
図１においては省略されているが、表示装置ＤＳＰは、２次電池及び電源回路等を備える。
【００１７】
なお、本実施形態の表示パネルＰＮＬは、透過型、反射型、半透過型のいずれであってもよい。透過型の表示パネルＰＮＬが適用された表示装置ＤＳＰには、上記の通り、第１基板ＳＵＢ１の背面側にバックライトユニットＢＬを備え、バックライトユニットＢＬからの光を選択的に透過させることで画像を表示する透過表示機能を有している。反射型の表示パネルＰＮＬが適用される表示装置ＤＳＰは、液晶層より表示パネルＰＮＬの背面側に光を反射する反射層を有し、第２基板ＳＵＢ２の前面側（あるいは表示面側）からの光を選択的に反射させることで画像を表示する反射表示機能を有している。なお、反射型の表示パネルＰＮＬの前面側には、補助光源が備えられてもよい。また、反射層は、金属等の反射機能を有する材料で液晶層より表示パネルＰＮＬの背面側にある電極を形成するように構成されていてもよい。半透過型の表示パネルＰＮＬが適用される表示装置ＤＳＰは、上記の透過表示機能及び反射表示機能を有している。
【００１８】
図２は、主として表示装置ＤＳＰに備えられる表示パネルＰＮＬの概略構成を示す。図２に示すように、表示パネルＰＮＬには、マトリクス状に配置された複数の表示画素ＰＸ（表示素子）が設けられている。更に、表示パネルＰＮＬには、複数の表示画素ＰＸが配列する行に沿って延びる走査線Ｇ（Ｇ１、Ｇ２、…、Ｇｍ）と、複数の表示画素ＰＸが配列する列に沿って延びる信号線Ｓ（Ｓ１、Ｓ２、…、Ｓｎ）と、走査線Ｇと信号線Ｓとが交差する位置近傍に配置された画素スイッチＳＷとが備えられている。
【００１９】
画素スイッチＳＷは、薄膜トランジスタ（ＴＦＴ：Thin Film Transistor）を含む。画素スイッチＳＷのゲート電極は、対応する走査線Ｇと電気的に接続されている。画素スイッチＳＷのソース電極は、対応する信号線Ｓと電気的に接続されている。また、画素スイッチＳＷのドレイン電極は、対応する画素電極ＰＥと電気的に接続されている。なお、画素スイッチＳＷのソース電極が対応する画素電極ＰＥと接続され、当該画素スイッチＳＷのドレイン電極が対応する信号線Ｓと接続される構成であってもよい。
【００２０】
また、表示パネルＰＮＬには、複数の表示画素ＰＸを駆動するためにゲートドライバＧＤ及びソースドライバＳＤが設けられている。複数の走査線Ｇは、ゲートドライバＧＤの出力端子と電気的に接続されている。複数の信号線Ｓは、ソースドライバＳＤの出力端子と電気的に接続されている。
【００２１】
ゲートドライバＧＤは、複数の走査線Ｇにオン電圧を順次印加して、選択された走査線Ｇに電気的に接続された画素スイッチＳＷのゲート電極にオン電圧を供給する。ゲート電極にオン電圧が供給された画素スイッチＳＷの、ソース電極−ドレイン電極間が導通する。
【００２２】
ソースドライバＳＤは、複数の信号線Ｓのそれぞれに対応する出力信号を供給する。信号線Ｓに供給された信号は、ソース電極−ドレイン電極間が導通した画素スイッチＳＷを介して、対応する画素電極ＰＥに印加される。
更に、表示パネルＰＮＬは、共通電極ドライバＣＤを備える。共通電極ドライバＣＤは、表示装置ＤＳＰの共通電極ＣＯＭＥに駆動信号を供給する（駆動電圧を印加する）回路である。共通電極ＣＯＭＥについては後述するが、上記した画素電極ＰＥ及び共通電極ＣＯＭＥは、絶縁膜を介して対向配置されている。画素電極ＰＥ、共通電極ＣＯＭＥ及び絶縁膜は、保持容量ＣＳを形成する。
【００２３】
なお、ゲートドライバＧＤ、ソースドライバＳＤ及び共通電極ドライバＣＤは、表示パネルＰＮＬの周囲の領域（額縁）に配置され、上記したパネルドライバＩＣ１によって制御される。更に、パネルドライバＩＣ１は、バックライトユニットＢＬの動作を制御する。
【００２４】
図２においては１つのゲートドライバＧＤのみが示されているが、表示パネルＰＮＬは、複数（例えば、２つ）のゲートドライバＧＤを備える構成であってもよい。２つのゲートドライバを備える構成の場合、例えば複数の走査線Ｇのうち、一方のゲートドライバが走査線Ｇ１、Ｇ３、…、Ｇｍ−１と接続され、他方のゲートドライバが走査線Ｇ２、Ｇ４、…、Ｇｍと接続されるように構成される。なお、２つのゲートドライバは、例えば複数の表示画素ＰＸを挟んで対向するように配置される。
【００２５】
図３は、表示装置ＤＳＰの断面構造を模式的に示す図（断面図）である。表示装置ＤＳＰは、表示パネルＰＮＬ、バックライトユニットＢＬ、第１光学素子ＯＤ１及び第２光学素子ＯＤ２を備える。
なお、図３において、表示パネルＰＮＬは、表示モードとしてＦＦＳ（Fringe Field Switching）モードに対応した構成を有しているが、他の表示モードに対応した構成を有していてもよい。
【００２６】
表示パネルＰＮＬは、上述したように第１基板ＳＵＢ１、第２基板ＳＵＢ２及び液晶層ＬＱを備える。第１基板ＳＵＢ１と第２基板ＳＵＢ２とは、所定のセルギャップを形成した状態で貼り合わされている。液晶層ＬＱは、第１基板ＳＵＢ１と第２基板ＳＵＢ２との間のセルギャップに保持されている。
【００２７】
第１基板ＳＵＢ１は、ガラス基板や樹脂基板等の光透過性を有する第１絶縁基板１０を用いて形成されている。第１基板ＳＵＢ１は、第１絶縁基板１０の第２基板ＳＵＢ２に対向する側に、信号線Ｓ、共通電極ＣＯＭＥ、画素電極ＰＥ、第１絶縁膜１１、第２絶縁膜１２、第３絶縁膜１３及び第１配向膜ＡＬ１等を備える。
【００２８】
ここで、画素電極ＰＥ及び共通電極ＣＯＭＥは上記した液晶層ＬＱの画素領域とともに表示画素ＰＸを構成し、当該表示画素ＰＸは、図２において説明したように表示パネルＰＮＬにマトリクス状に配置される。
第１絶縁膜１１は、第１絶縁基板１０の上に配置されている。また、信号線Ｓは、第１絶縁膜１１の上に形成されている。図３に示す例では、信号線Ｓは、Ｙ方向に延出している。
【００２９】
なお、図示されていないが、第１絶縁基板１０と第１絶縁膜１１との間には、走査線Ｇ、スイッチング素子（画素スイッチＳＷ）のゲート電極及び半導体層等が配置されている。更に、スイッチング素子のソース電極及びドレイン電極等も第１絶縁膜１１の上に形成されている。
【００３０】
第２絶縁膜１２は、信号線Ｓ及び第１絶縁膜１１の上に配置されている。共通電極ＣＯＭＥは、第２絶縁膜１２の上に形成されている。共通電極ＣＯＭＥは、複数のセグメントによって構成されている。共通電極ＣＯＭＥの各セグメントは、それぞれＸ方向に延出し、所定の間隔でＹ方向に配列されている。共通電極ＣＯＭＥは、ＩＴＯ（インジウム・ティン・オキサイド）またはＩＺＯ（インジウム・ジンク・オキサイド）等の透明な導電材料によって形成されている。図３に示す例では、共通電極ＣＯＭＥの上に金属層ＭＬが形成され、当該共通電極ＣＯＭＥが低抵抗化されている。なお、金属層ＭＬは省略されても構わない。
【００３１】
第３絶縁膜１３は、共通電極ＣＯＭＥ及び第２絶縁膜１２の上に配置されている。画素電極ＰＥは、第３絶縁膜１３の上に形成されている。各画素電極ＰＥは、隣接する信号線Ｓの間にそれぞれ位置し、共通電極ＣＯＭＥと対向している。また、各画素電極ＰＥは、共通電極ＣＯＭＥと対向する位置にスリットＳＬを有している。このような画素電極ＰＥは、例えばＩＴＯまたはＩＺＯ等の透明な導電材料によって形成されている。第１配向膜ＡＬ１は、画素電極ＰＥ及び第３絶縁膜１３を覆っている。
【００３２】
一方、第２基板ＳＵＢ２は、ガラス基板または樹脂基板等の光透過性を有する第２絶縁基板２０を用いて形成されている。第２基板ＳＵＢ２は、第２絶縁基板２０の第１基板ＳＵＢ１に対向する側に、ブラックマトリクスＢＭ、カラーフィルタＣＦＲ、ＣＦＧ、ＣＦＢ、オーバーコート層ＯＣ及び第２配向膜ＡＬ２等を備える。
【００３３】
ブラックマトリクスＢＭは、第２絶縁基板２０の内面に形成され、各画素を区画している。カラーフィルタＣＦＲ、ＣＦＧ、ＣＦＢは、それぞれ第２絶縁基板２０の内面に形成され、それらの一部がブラックマトリクスＢＭに重なっている。カラーフィルタＣＦＲは赤色カラーフィルタであり、カラーフィルタＣＦＧは緑色カラーフィルタであり、カラーフィルタＣＦＢは青色カラーフィルタである。オーバーコート層ＯＣは、カラーフィルタＣＦＲ、ＣＦＧ、ＣＦＢを覆っている。オーバーコート層ＯＣは、透明な樹脂材料によって形成されている。第２配向膜ＡＬ２は、オーバーコート層ＯＣを覆っている。
なお、カラーフィルタ及びブラックマトリクス等は、第１絶縁基板１０上に形成されていてもよい。また、カラーフィルタは、例えば画素電極ＰＥの上に積層されてもよい。
【００３４】
タッチ検出電極Ｒｘは、第２絶縁基板２０の外面に形成されている。このタッチ検出電極Ｒｘは島状に形成されているが、ここでは便宜的にリード線については省略されている。タッチ検出電極Ｒｘは、例えば、アルミニウム（Ａｌ）、チタン（Ｔｉ）、銀（Ａｇ）、モリブデン（Ｍｏ）、タングステン（Ｗ）、銅（Ｃｕ）、クロム（Ｃｒ）などの金属材料や、これらの金属材料を組み合わせた合金や、ＩＴＯやＩＺＯ等の透明導電材料や、導電性の有機材料や、微細な導電性物質の分散体などによって形成されている。また、タッチ検出電極Ｒｘは、上記の材料からなる単層体であってもよいし、積層体であってもよい。積層体の一例では、タッチ検出電極Ｒｘは、上記の金属材料からなる金属細線と、透明導電材料とを備えた構成が挙げられる。タッチ検出電極Ｒｘに金属材料を用いる場合は、メッシュ加工を施してもよいし、黒色材料でメッキ加工するなどの不可視化処理をするとよりよい。
【００３５】
バックライトユニットＢＬは、上記したように表示パネルＰＮＬの背面側に配置されている。第１光学素子ＯＤ１は、第１絶縁基板１０とバックライトユニットＢＬとの間に配置されている。第２光学素子ＯＤ２は、タッチ検出電極Ｒｘの上に配置されている。第１光学素子ＯＤ１及び第２光学素子ＯＤ２は、それぞれ少なくとも偏光板を含む。また、第１光学素子ＯＤ１及び第２光学素子ＯＤ２は、必要に応じて位相差板を含む構成であってもよい。
【００３６】
図４は、上記したタッチ検出機構ＳＥの基本動作を説明するための図である。図４は、ミューチュアル（相互容量）検出方式のタッチ検出機構ＳＥを示す。なお、タッチ検出機構ＳＥのタッチ検出の方式は、例えばセルフ検出方式等の他の検出方式であっても構わない。
【００３７】
ミューチュアル検出方式のタッチ検出機構ＳＥにおいては、第２基板ＳＵＢ２に例えばＹ方向にストライプ状に形成されるタッチ検出電極（検出素子）Ｒｘと、第１基板ＳＵＢ１にＸ方向にストライプ状に形成される駆動電極Ｔｘとが形成されている。すなわち、タッチ検出電極Ｒｘと駆動電極Ｔｘとは、互いに交差する関係である。この駆動電極Ｔｘとしては、上述した画像表示用の共通電極ＣＯＭＥが用いられる。
なお、タッチ検出電極ＲｘがＸ方向にストライプ状に形成され、駆動電極ＴｘがＹ方向にストライプ状に形成されてもよい。
【００３８】
このような構成によれば、後述するタッチ検出期間においては、駆動電極Ｔｘとして用いられる共通電極ＣＯＭＥが順次高周波パルスの駆動信号（タッチ駆動信号）Ｔｘｓにより駆動される。この場合、例えば被検出物（外部近接物体）が近接しているタッチ検出電極Ｒｘからは、他のタッチ検出電極Ｒｘからの出力に比べて、レベルの低いタッチ検出信号Ｒｘｓが検出される。これは、被検出物が近接しているタッチ検出電極Ｒｘと共通電極ＣＯＭＥとの間に生じている第１容量に加えて、当該タッチ検出電極Ｒｘと被検出物との間に第２容量が発生しているためである。すなわち、タッチ検出電極Ｒｘは、外部近接物体に応じた静電容量の変化に基づくタッチ検出信号Ｒｘｓを出力することができる。
タッチ検出機構ＳＥによれば、上記の駆動電極Ｔｘとしての共通電極ＣＯＭＥの駆動タイミングと、レベルの低い検出信号Ｒｘｓを出力したタッチ検出電極Ｒｘの位置とから、被検出物の座標位置を判定することができる。
【００３９】
図５は、上記した共通電極ＣＯＭＥ（駆動電極Ｔｘ）とタッチ検出電極Ｒｘとの構成例を説明するための図である。
【００４０】
本実施形態に係る表示装置ＤＳＰにおいては、パネルドライバＩＣ１（ＤＤＩ）とタッチドライバＩＣ２（ＴＰＩＣ）とが協働することにより、共通電極ＣＯＭＥには駆動パルスＴＳＶＣＯＭ（タッチ駆動信号Ｔｘｓ）が入力され、タッチ検出電極Ｒｘから検出パルス（タッチ検出信号Ｒｘｓ）が得られる。また、タッチドライバＩＣ２は、駆動パルスＴＳＶＣＯＭを入力した共通電極ＣＯＭＥの位置と、検出パルスの波形とから被検出物の接触位置を把握する。なお、接触位置（タッチ位置）の算出は、図示しない外部装置（例えば、ホスト装置ＨＯＳ）によって行われても構わない。パネルドライバＩＣ１とタッチドライバＩＣ２との授受信号の詳細については後述する。
【００４１】
次に、図６を参照して、表示期間とタッチ検出期間との関係について説明する。
本実施形態において、表示期間は、表示パネルＰＮＬにおける画像の表示動作（ゲートドライバＧＤ及びソースドライバＳＤによる表示画素ＰＸに対する駆動動作）が実行される期間を含む。一方、タッチ検出期間は、上記した共通電極ＣＯＭＥ（駆動電極Ｔｘ）にタッチ駆動信号Ｔｘｓを供給してタッチ検出信号Ｒｘｓを検出するタッチ検出動作が実行される期間を含む。
【００４２】
ここで、上記したようにタッチ検出期間においてタッチ駆動信号Ｔｘｓが供給される駆動電極Ｔｘとしては、複数のストライプ状の共通電極ＣＯＭＥが用いられる。すなわち、画像表示に使用される共通電極ＣＯＭＥがタッチ検出用の駆動電極Ｔｘとしても利用されるため、本実施形態においては、表示動作とタッチ検出動作とがタイムシェアリングにより行われる。
【００４３】
具体的には、図６に示すように、上記した表示動作によって１フレームの画像が表示される期間（以下、１フレーム期間と表記）は、複数のユニットで構成される。１ユニット内は、上記した表示期間及びタッチ検出期間に分割される。すなわち、１ユニット内の期間においては、ＲＧＢの３色のうちの１つを選択する信号（ＳＥＬＲ／Ｇ／Ｂ）に対応して色毎の画素信号（ＳＩＧｎ）を出力する動作（表示動作）が表示期間において複数の表示行（ライン）について実行された後、駆動電極Ｔｘとしての共通電極ＣＯＭＥにタッチ駆動信号Ｔｘを供給する動作（タッチ検出動作）がタッチ検出期間において実行される。上記したように１フレーム期間は複数のユニットから構成されているため、１フレーム期間においては、表示期間とタッチ検出期間とが交互に繰り返される。
なお、本実施形態における表示動作及びタッチ検出動作に関する制御は、パネルドライバＩＣ１によって実行される。
【００４４】
図７は、主としてパネルドライバＩＣ１の内部の回路構成の一例を示す。図７に示すように、パネルドライバＩＣ１は、インタフェース（Ｉ／Ｆ）回路１０１、データ処理回路１０２、ビデオメモリ１０３、表示用ラインデータラッチ回路１０４、ソース増幅器１０５、内部発振器１０６、タイミングコントローラ１０７、表示駆動回路１０８及びタッチ駆動回路１０９を備える。
【００４５】
なお、上記したようにパネルドライバＩＣ１はホスト装置ＨＯＳと接続されている。ホスト装置ＨＯＳは、画素データ及び同期信号等を出力する。ホスト装置ＨＯＳから出力された画素データ及び同期信号は、インタフェース回路１０１によって受け取られる。
【００４６】
インタフェース回路１０１によって受け取られた画素データは、データ処理回路１０２に入力される。データ処理回路１０２は、表示パネルＰＮＬによる表示に適合するように、入力された画素データの補間処理及び合成処理等を実行する。
データ処理回路１０２によって補間処理及び合成処理が実行された画素データ（つまり、データ処理回路１０２から出力された画素データ）は、ビデオメモリ１０３に書き込まれる。なお、ビデオメモリ１０３には、例えば１フレームの画像全体（の画素データ）を格納可能であるものとする。ビデオメモリ１０３としては、例えばＳＲＡＭ及びＤＲＡＭ等を利用することができる。
【００４７】
表示用ラインデータラッチ回路１０４は、ビデオメモリ１０３に書き込まれた画素データをラッチする。表示用ラインデータラッチ回路１０４にラッチされた画素データは、ソース増幅器１０５でアナログ変換されて画素信号となる。この画素信号は、ガンマ補正されて、表示パネルＰＮＬに供給される。画素信号は、信号線Ｓ（例えば、Ｓ１〜Ｓ１０８０）を介してゲートが開いている表示画素（つまり、画素スイッチＳＷのゲート電極にオン電圧が供給されている画素）ＰＸに書き込まれる。これにより、表示パネルＰＮＬにおける画像の表示動作が行われる。
【００４８】
タイミングコントローラ１０７は、例えばホスト装置ＨＯＳから受けたコマンドに基づいて、パネルドライバＩＣ１内部の全ての回路ブロック全体を同期させて動作させる。
タイミングコントローラ１０７は、内部発振器１０６から基本クロックを受ける。タイミングコントローラ１０７は、基本クロックに基づいて、各種のタイミング信号を生成する。また、タイミングコントローラ１０７は、内部発振器１０６の発振周波数の増加または低下等を制御することも可能である。
【００４９】
タイミングコントローラ１０７は、位相制御回路を含み、内部発振器１０６のクロック（内部クロック）位相と外部（ホスト装置ＨＯＳ）の同期信号の位相との関係を所定の関係に制御して維持する。タイミングコントローラ１０７は、内部クロックに基づいて、画素信号を書き込むタイミング信号（垂直同期信号及び水平同期信号）を生成する。この場合、タイミングコントローラ１０７は、内部の垂直同期パルス及び水平同期パルスを生成する。
【００５０】
タイミングコントローラ１０７によって生成されるタイミング信号は、例えば表示駆動回路１０８及びタッチ駆動回路１０９に供給される。なお、タイミングコントローラ１０７は、インタフェース回路１０１、データ処理回路１０２、ビデオメモリ１０３、表示用ラインデータラッチ回路１０４及びソース増幅器１０５の各々に対しても各種タイミングパルスを生成して供給する。
【００５１】
これにより、タイミングコントローラ１０７は、上記したようにパネルドライバＩＣ１内部の各ブロックを統一して制御することが可能となる。
表示駆動回路１０８は、タイミングコントローラ１０７からのタイミング信号に基づいて、ソースドライバ（ソース選択回路）ＳＤ及びゲートドライバＧＤを制御し、画素信号を書き込むライン（に対応する表示画素ＰＸ）を指定することができる。
【００５２】
タッチ駆動回路１０９は、タッチ検出動作に関するタイミング信号として垂直同期信号及び水平同期信号をタッチドライバＩＣ２に出力する。また、タッチ駆動回路１０９は、上述した駆動信号Ｔｘｓを、割り当てられた時間（つまり、タッチ検出期間）に、共通電極ＣＯＭＥに供給する。これにより、タッチ検出信号Ｒｘｓがタッチ検出電極Ｒｘから出力される。
【００５３】
ここで、タッチドライバＩＣ２は、タッチ検出電極Ｒｘから出力されたタッチ検出信号Ｒｘｓを入力する。タッチドライバＩＣ２は、駆動信号Ｔｘｓの駆動タイミングとタッチ検出信号Ｒｘｓの検出タイミングとの時間的関連性に基づきタッチ位置を検出（判別）する。タッチ位置の検出結果は、ホスト装置ＨＯＳに出力される。この場合、ホスト装置ＨＯＳは、タッチドライバＩＣ２によって出力されたタッチ位置の検出結果に基づいて、各種処理（プログラミング動作）を実行する。
【００５４】
また、タッチドライバＩＣ２は、タッチ検出周波数の切り替え信号をタイミングコントローラ１０７に与えることができる。なお、本実施形態に係る表示装置ＤＳＰの通常駆動時においては、当該表示装置ＤＳＰにおける表示駆動周波数（リフレッシュレート）及びタッチ検出周波数は例えば６０Ｈｚであるものとする。表示駆動周波数は、垂直同期周波数に相当し、表示ＰＮＬにおける表示動作によって単位時間に書き換えられるフレーム数を表す。タッチ検出周波数は、表示面（タッチ操作面）を走査する周波数であり、タッチ検出機構ＳＥを形成する複数の駆動電極Ｔｘ（共通電極ＣＯＭＥ）の駆動周波数（タッチ駆動信号Ｔｘｓの周波数）を表す。
【００５５】
タッチドライバＩＣ２は、例えば上記した通常動作時よりもタッチ検出感度を向上させる場合には、タッチ検出周波数を１２０Ｈｚとする切り替え信号をタイミングコントローラ１０７に与えることができる。なお、タッチ検出周波数を切り替える条件については、表示装置ＤＳＰにおいて予め設定されていればよい。
【００５６】
次に、図８を参照して、上記した共通電極ＣＯＭＥに供給される駆動信号について説明する。
上述したように表示パネルＰＮＬには共通電極ドライバＣＤが設けられており、当該共通電極ドライバＣＤは、パネルドライバＩＣ１と接続されている。パネルドライバＩＣ１から出力される駆動信号は、共通電極ドライバＣＤを介して共通電極ＣＯＭＥ（駆動電極Ｔｘ）に駆動パルスＴＳＶＣＯＭを供給する。また、表示パネルＰＮＬの表示領域ＤＡの面上には、タッチ検出電極Ｒｘが設けられている。タッチ検出電極Ｒｘからのタッチ検出信号線は、外部引き出し用電極を介してタッチドライバＩＣ２に電気的に接続されている。
【００５７】
タッチドライバＩＣ２は、ＦＰＣ２を介してホスト装置ＨＯＳと接続されている。タッチドライバＩＣ２とホスト装置ＨＯＳとの間では、Ｉ２Ｃ（Inter-Integrated Circuit）、ＳＰＩ（Serial Peripheral Interface）等の通信方式により情報の授受が行われる。また、タッチドライバＩＣ２には、外部より電源（VDD、Vbus）が供給される。
【００５８】
次に、パネルドライバＩＣ１とタッチドライバＩＣ２との間で授受される信号について説明する。
パネルドライバＩＣ１は、タッチドライバＩＣ２と同期をとるための信号を当該タッチドライバＩＣ２に出力する。この同期をとるための信号には、垂直同期信号ＴＳＶＤ及び水平同期信号ＴＳＨＤが含まれる。垂直同期信号ＴＳＶＤは、表示パネルＰＮＬにおける表示動作によって表示されるフレームの開始を表す同期信号である。水平同期信号ＴＳＨＤは、フレーム中の１ライン毎の表示動作に対応する同期信号である。
【００５９】
タッチドライバＩＣ２は、垂直同期信号ＴＳＶＤ及び水平同期信号ＴＳＨＤに基づいて、タッチ検出のためのサンプリングタイミングに同期した駆動同期信号ＥＸＶＣＯＭをパネルドライバＩＣ１に出力する。パネルドライバＩＣ１は、駆動同期信号ＥＸＶＣＯＭをレベルシフト及びインピーダンス変換した駆動パルスＴＳＶＣＯＭを共通電極ドライバＣＤに出力する。
【００６０】
共通電極ドライバＣＤは、シフトレジスタ回路２０１、選択回路２０２及び切替回路２０３を備える。
シフトレジスタ回路２０１には、タッチ検出動作に関する制御信号としてタッチ検出（走査）スタートパルスＳＤＳＴ、タッチ検出（走査）クロックＳＤＣＫ（図示せず）が入力される。なお、仕様に応じて複数のタッチ検出クロック（ＳＤＣＫ１及びＳＤＣＫ２）が用いられても構わない。
【００６１】
このようなタッチ検出スタートパルスＳＤＳＴ及びタッチ検出クロックＳＤＣＫによれば、シフトレジスタ回路２０１を順次選択することができる。なお、選択されたシフトレジスタ回路２０１は「１」を出力する。
図８に示す１つのシフトレジスタ回路２０１ａについて説明すると、シフトレジスタ回路２０１ａの出力端子は、選択回路２０２を構成するＡＮＤ回路２０２ａの１つの入力端子に接続されている。ＡＮＤ回路２０２ａの他の入力端子には、駆動同期選択信号ＥＸＶＣＯＭＳＥＬが入力される。駆動同期選択信号ＥＸＶＣＯＭＳＥＬは、タッチ検出期間を識別するための信号を識別するための信号である。具体的には、駆動同期選択信号ＥＸＶＣＯＭＳＥＬは、タッチ検出期間において「１」となり、表示期間において「０」となる信号である。
【００６２】
ここで、切替回路２０３には、タッチスイッチ２０３ａ及び表示スイッチ２０３ｂが含まれている。このタッチスイッチ２０３ａ及び表示スイッチ２０３ｂは、「１」が入力された場合に接続状態（オン状態）となり、「０」が入力された場合に切断状態（オフ状態）となるスイッチである。
【００６３】
これによれば、例えばシフトレジスタ回路２０１ａの出力が「１」であり、かつ、タッチ検出期間である（つまり、駆動同期選択信号ＥＸＶＣＯＭＳＥＬが「１」である）場合には、ＡＮＤ回路２０２ａの出力は「１」となり、切替回路２０３に設けられたタッチスイッチ２０３ａが接続状態に切り替わる。この場合、タッチスイッチ２０３ａを介して駆動パルスＴＳＶＣＯＭが駆動電極Ｔｘとして用いられる共通電極ＣＯＭＥに供給（印加）される。
【００６４】
一方、表示期間である場合には、ＡＮＤ回路２０２ａの出力は「０」となる。このＡＮＤ回路２０２ａの出力は選択回路２０２を構成するインバータ２０２ｂによって「１」となり、切替回路２０３に含まれる表示スイッチ２０３ｂが接続状態に切り替わる。この場合、表示スイッチ２０３ｂを介して直流信号ＶＣＯＭＤＣが共通電極ＣＯＭＥに入力される。
上記したように、タッチ検出期間において例えばシフトレジスタ２０１ａが選択された場合には、タッチスイッチ２０３ａを介して共通電極ＣＯＭＥに駆動パルスＴＳＶＣＯＭが入力される。
【００６５】
タッチドライバＩＣ２は、このような駆動パルスＴＳＶＣＯＭに応じたタッチ検出信号Ｒｘｓをタッチ検出電極Ｒｘから得ることができる。なお、タッチドライバＩＣ２には基準周波数発振器３０１が独立して設けられている。これにより、タッチ検出周波数（タッチ駆動の駆動周波数）は、上記した表示駆動周波数と独立して任意の値に設定することができる。
【００６６】
また、本実施形態においては、上記した１ユニット内の表示期間中に画素信号が書き込まれる表示ライン数（以下、１ユニット表示ライン数と表記）、垂直同期信号ＴＳＶＤ及び水平同期信号ＴＳＨＤの出力タイミングやタッチ検出スタートパルスＳＤＳＴ及びタッチ検出クロックＳＤＣＫの出力タイミング等は可変であるものとする。この場合、例えばパネルドライバＩＣ１内に１ユニット表示ライン数及び各信号（パルス）の出力タイミング等を規定した複数種類の定数テーブルが用意されているものとする。パネルドライバＩＣ１は、このような複数種類の定数テーブルのうち、例えばタッチドライバＩＣ２によって指定された定数テーブル（に規定されたデータ）に従って動作する。
【００６７】
次に、本実施形態に係る表示装置ＤＳＰの動作について説明する。まず、図９を参照して、通常駆動時における表示期間及びタッチ検出期間の配置について説明する。図９においては、表示動作が実行される期間は表示期間ＤＩＳ、タッチ検出動作が実行される期間はタッチ検出期間Ｔとして示されている。以下の図面においても同様である。
【００６８】
図９に示すようにパネルドライバＩＣ１において表示用の垂直同期信号ＶＳＹＮＣが入力されると、垂直バックポーチ期間ＢＰを経て、表示動作及びタッチ検出動作が実行される。なお、垂直バックポーチ期間ＢＰは、１フレーム期間（垂直同期時間）の開始から１フレームの画像の最初のラインにデータ（画素信号）が書き込まれるまでの期間に相当する。この垂直バックポーチ期間ＢＰにおいては、所定のライン数が駆動される。
【００６９】
ここで、表示期間ＤＩＳ及びタッチ検出期間Ｔは、上記したユニットの単位で管理される。１ユニットには１つの表示期間ＤＩＳ及び１つのタッチ検出期間Ｔが含まれており、１フレーム期間には複数のユニットが設定されている。これによれば、１フレーム期間においては、表示動作及びタッチ検出動作が繰り返し実行される（つまり、表示期間ＤＩＳ及びタッチ検出期間Ｔが交互に配置されている）。
【００７０】
１つのユニットに含まれる表示期間ＤＩＳにおいては、例えばレジスタに設定されている上記した１ユニット表示ライン数のラインが駆動されることによって、当該ラインに対応する表示画素ＰＸに対して画素信号が書き込まれる（つまり、表示動作が実行される）。一方、１つのユニットに含まれるタッチ検出期間Ｔにおいては、例えば設定されている数の駆動電極Ｔｘとして用いられる共通電極ＣＯＭＥが駆動され、タッチ検出電極Ｒｘからタッチ検出信号Ｒｘｓが出力される（つまり、タッチ検出動作が実行される）。
【００７１】
ここで、１フレームの画面を表示する表示動作の周期は１フレーム期間に相当し、１ユニット表示ライン数及びユニット数は、当該１フレーム期間内に１フレームの画面を表示することが可能なように設定されている。一方、タッチ検出動作の周期（タッチ検出機構ＳＥに備えられる複数の駆動電極Ｔｘにタッチ駆動信号Ｔｘｓを供給する周期）は、表示動作の周期と同期するものであってもよいし、当該表示動作の周期と非同期であってもよい。
【００７２】
なお、タッチ検出動作の周期を表示動作の周期と同期させる場合には、上記したタッチ検出動作の周期の整数倍、例えば１周期または２周期が表示動作の周期（１フレーム期間）と一致するように制御される。
一方、タッチ検出動作の周期が表示動作の周期に同期しない場合には、表示動作の周期（１フレーム期間）をタッチ検出動作の１周期または複数周期に一致させる必要はない。
【００７３】
以下の説明においては、タッチ検出動作の周期は、表示動作の周期と独立して制御される（つまり、非同期である）ものとして説明する。
１フレーム期間における表示動作及びタッチ検出動作（の繰り返し）は、表示動作によって画素信号が書き込まれたライン数が最大表示ライン数に達した時点で終了される。最大表示ライン数は、１フレームの画像において画素信号が書き込まれるライン数である。なお、最後のユニット（に含まれる表示期間）には余りの表示ライン数（最大表示ライン数を１ユニット表示ライン数で除算した際の余り）が割り当てられるため、当該最後のユニット（図９に示すユニットｎ＋３）の表示ライン数は１ユニット表示ライン数よりも小さい値となる。１フレーム期間における表示動作及びタッチ検出動作が終了されると、垂直フロントポーチ期間ＦＰを経て、上記した１フレーム期間における動作が繰り返し実行される。なお、垂直フロントポーチ期間ＦＰは、１フレームの画像の最後のラインにデータ（画素信号）が書き込まれてから次の垂直同期信号ＶＳＹＮＣが入力されるまでの期間に相当する。この垂直フロントポーチ期間ＦＰにおいては、所定のライン数が駆動される。
【００７４】
上記した垂直バックポーチ期間ＢＰ及び垂直フロントポーチ期間ＦＰは、表示調整期間と称される。この表示調整期間は、例えば極性反転の準備期間、内部画像処理の演算期間、データの読み出し及びゲートドライバ（スキャナ）の追い出し等の役割を担っている。
【００７５】
次に、図１０を参照して、通常駆動時における表示動作及びタッチ検出動作について具体的に説明する。図１０に示す例では、１ユニット表示ライン数（LINE_NUMBER_OF_UNIT）として４５が設定されているものとする。なお、１フレームの画面を表示する表示動作の周期（つまり、１フレーム期間の各ユニットに含まれる表示期間ＤＩＳにおいて画素信号が書き込まれたライン数）は、図１０に示すユニット番号（Unit0、Unit1、…）で管理することができる。
【００７６】
図１０に示す開始ライン及び終了ラインは、垂直バックポーチ期間ＢＰ、各ユニットに含まれる表示期間ＤＩＳ及び垂直フロントポーチ期間ＦＰの各々において駆動される最初のラインの位置及び最後のラインの位置を表している。また、図１０に示すライン数は、垂直バックポーチ期間ＢＰ、各ユニットに含まれる表示期間ＤＩＳ及び垂直フロントポーチ期間ＦＰの各々において駆動されるライン数を表している。
【００７７】
ここでは、垂直バックポーチ期間ＢＰにおいて４本のラインが駆動され、垂直フロントポーチ期間ＦＰにおいて２本のラインが駆動される例が示されている。また、有効なアクティブ表示ライン数（表示動作によって画素信号が書き込まれるライン数）は、ユニット０〜ユニット４２までの１９２０であるものとする。この場合、ユニット０〜ユニット４１までのライン数はそれぞれ１ユニット表示ライン数として設定されている４５であるが、ユニット４２のライン数は端数としての３０（＝１９２０−４５＊４１）である。以下、このユニット４２はダミーユニットと称する。なお、図９においてダミーユニットはユニットｎ＋３であり、当該ダミーユニットに含まれる表示期間は表示期間ＤＩＳ´とする。
【００７８】
ここで、ダミーユニットに含まれる表示期間ＤＩＳ´において駆動されるライン数（３０）は他のユニット０〜ユニット４２に含まれる表示期間ＤＩＳにおいて駆動されるライン数（４５）よりも少ないため、表示期間ＤＩＳ´の長さは、表示期間ＤＩＳよりも短い。また、ダミーユニットには、タッチ検出期間は含まれないものとする。なお、ダミーユニット以外のユニットのユニット番号の最大値は、有効ユニット番号（VALID_UNIT_NUM）と称する。図１０に示す例では、有効ユニット番号は４２である。なお、有効ユニット番号は予め設定されている。
【００７９】
なお、上記した垂直バックポーチ期間ＢＰ及び垂直フロントポーチ期間ＦＰにおいて駆動されるラインの数は、例えば表示パネルＰＮＬの仕様によって定められている。
ここで、タッチ検出期間Ｔは表示期間ＤＩＳの後に配置されるため、当該タッチ検出期間Ｔの配置（タイミング）については上記したユニット番号で管理することができる。一方、上記したようにタッチ検出動作の周期が表示動作の周期と独立している場合には、タッチ検出動作の周期をユニット番号で管理することはできない。
このため、タッチ検出動作の周期は、ユニット（タッチ検出期間Ｔ）毎にインクリメントするように構成されたＬＯＯＰカウンタ（LOOP_CNT）を用いて管理されるものとする。
【００８０】
ここで、上記したタッチ検出動作の周期に対応するユニット数（以下、タッチ最大ユニット数と表記）は、予め設定されているものとする。このようなタッチ最大ユニット数（MAX_LOOP_NUM）が例えば２９であるものとすると、０〜２９の値を取り得るＬＯＯＰカウンタを利用することによってタッチ検出動作の周期を管理することができる。
【００８１】
具体的には、図１０に示すようにＬＯＯＰカウンタ（値）は、ユニット０〜ユニット２９まで順次インクリメントされ、ユニット３０において０にリセットされ、ユニット３１から再度インクリメントされる。これにより、タッチ検出動作（の周期）を表示動作と独立して管理することができる。
【００８２】
なお、図１０に示すユニット４１及びユニット４２に示すように、ＬＯＯＰカウンタはダミーユニット（ここでは、ユニット４２）ではインクリメントされないものとする。これは、上記した有効ユニット番号が４１に設定されており、ダミーユニットではタッチ検出期間が設定されていないからである。
【００８３】
また、ＬＯＯＰカウンタは、垂直フロントポーチ期間ＦＰ及び垂直バックポーチ期間ＢＰ中はインクリメントされないが、垂直フロントポーチ期間ＦＰ及び垂直バックポーチ期間ＢＰ中も値を維持するものとする。これによれば、新たな垂直同期信号ＶＳＹＮＣが入力された後のユニット０（のタッチ検出期間）においては、垂直フロントポーチ期間ＦＰ及び垂直バックポーチ期間ＢＰ中に維持されていた値に対してインクリメントが再開される。以下、同様の動作が繰り返される。
【００８４】
なお、ここではタッチ検出動作の周期が表示動作の周期と独立している（非同期である）ことによりＬＯＯＰカウンタを用いる例について説明したが、当該タッチ検出動作の周期と表示動作の周期とが同期している場合には、ＬＯＯＰカウンタを用いることなく当該タッチ検出動作の周期及び表示動作の周期の両方をユニット番号（ユニット数）で管理するようにしても構わない。
【００８５】
ところで、表示装置ＤＳＰにおいては、通常駆動時の表示駆動周波数を下げることによって省電力化を図る（消費電力を低減させる）場合がある。具体的には、通常駆動時において表示装置ＤＳＰが例えば表示駆動周波数６０Ｈｚで駆動している場合において、当該表示装置ＤＳＰを表示駆動周波数３０Ｈｚで駆動させる場合がある。
以下、通常駆動時の表示駆動周波数を下げて表示装置ＤＳＰを駆動させることを低速駆動（低周波駆動）と称する。
【００８６】
通常駆動及び低速駆動は、例えば上記したビデオメモリ１０３に書き込まれる画素データ等に基づいて、パネルドライバＩＣ１（に備えられるタイミングコントローラ１０７）によって動的に切り替えられるものとする。具体的には、Ｉ／Ｆ回路１０１が周波数切替判定回路を有し、所定の条件に基づいて、周波数の切り替えを判定し、判定結果をタイミングコントローラ１０７等に送信するようにしてもよい。なお、所定の条件は、周波数の切り替え（つまり、通常駆動及び低速駆動間の切り替え）によって画質を低下させることがないような観点に基づいて設定されている。例えば、Ｉ／Ｆ回路１０１が画像解析回路を有し、表示装置ＤＳＰ（の表示パネルＰＮＬ）においてホーム画面が表示、あるいは同じ写真が表示されている等の画面（画像）の書き換えが不要な場合かを判定し、不要な場合に低速駆動（低周波）への切替信号を送信してもよい。また、ホスト装置ＨＯＳからの画素データの更新の頻度に基づいて判定してもよい。例えば、ホスト装置ＨＯＳから一定期間画素データの更新が無い場合に、表示装置ＤＳＰを低速駆動に切り替えるようにしてもよい。Ｉ／Ｆ回路１０１からの低速駆動への切替信号の送信に応じて、パネルドライバＩＣ１は、表示装置ＤＳＰの駆動状態を通常駆動から低速駆動に切り替える。
すなわち、本実施形態において、周波数切替判定回路（Ｉ／Ｆ回路１０１）は、表示動作の周波数を、通常駆動時の表示駆動周波数（第１周波数）と、当該通常駆動時の表示駆動周波数よりも遅い低速駆動時の表示駆動周波数（第２周波数）とのいずれかに切り替えるように構成されている。
なお、Ｉ／Ｆ回路１０１が周波数切替判定回路として機能する場合を例示したが、データ処理回路１０２とビデオメモリ１０３が共同して周波数切替判定回路として機能してもよい。
【００８７】
なお、通常駆動及び低速駆動の切り替えは、例えばホスト装置ＨＯＳからのコマンドに従って実行されても構わない。
ここで、表示装置ＤＳＰを低速駆動させる場合、通常駆動時と比較して１フレーム期間が長くなる。本実施形態において、低速駆動時であっても各ユニットに含まれる表示期間ＤＩＳ及びタッチ検出期間Ｔの長さは通常駆動時と同一とする構成を採用し、当該通常駆動時の１フレーム期間との差分については表示調整期間（ポーチ期間）を長くすることによって対応する。この場合、例えば、タイミングコントローラ１０７及び表示駆動回路１０８は、Ｉ／Ｆ回路１０１に含まれる周波数切替判定回路の判定結果に応じて、表示調整期間の長さを変更するように構成されたポーチ期間変更回路を有する。このポーチ期間変更回路は、周波数切替判定回路の判定結果が例えば低速駆動（低周波）への切り替えであった場合、当該判定結果を示す切替信号を周波数切替判定回路から受信し、低速駆動時における表示調整期間（ポーチ期間）を示す信号、例えば、ＥＮＡＢＬＥ信号を出力する。
【００８８】
このため、本実施形態においては、表示装置ＤＳＰにおいて、フレームの最初の画素行に画素データを書き始める時点と、フレームの最後の画素行に画素データを書き終える時点との差が、常に一定時間を保つことができる。なお、表示調整期間は、画像の表示の極性を反転する垂直バックポーチ期間ＢＰと、垂直バックポーチ期間の前に設けられている垂直フロントポーチ期間ＦＰとを含むが、低速駆動時にはいずれを長くしてもよい。本実施形態においては、垂直フロントポーチ期間ＦＰを長くする（延長する）ものとする。
【００８９】
ここで、図１１及び図１２を参照して、上記した通常駆動時の垂直フロントポーチ期間ＦＰを単に長くした場合における表示動作及びタッチ検出動作を本実施形態に対する比較例として説明する。
この比較例においては、図１１に示すように、垂直バックポーチ期間ＢＰ及び各ユニット（表示期間ＤＩＳ及びタッチ検出期間Ｔ）は図９に示す通常駆動時と同様であるが、垂直フロントポーチ期間ＦＰ´は、通常駆動時の垂直フロントポーチ期間ＦＰと比較して長くなっている。
【００９０】
この場合、図１２に示すように、垂直フロントポーチ期間ＦＰ´の開始ラインは図１０に示す通常駆動時の垂直フロントポーチ期間ＦＰと同様であるが、終了ラインは３８４６、ライン数は１９２２となっており、通常駆動時と比較して増大している。
なお、上記した最大表示ライン数は通常駆動時と低速駆動時とで変更されるものではない。すなわち、図１２に示す垂直フロントポーチ期間ＦＰ´のライン数は、当該ライン数のラインが駆動されたことを表す数値ではなく、当該ライン数のラインが駆動されるのと同等の時間が垂直フロントポーチ期間ＦＰ´に割り当てられていることを表している。垂直フロントポーチ期間ＦＰ´の終了ラインについても同様に、開始ラインから終了ラインまでのラインが駆動されるのと同等の時間が垂直フロントポーチ期間ＦＰ´に割り当てられていることを示している。
【００９１】
ここで、上述した通常駆動時における垂直フロントポーチ期間ＦＰ´を長くした場合、図１１に示すように当該垂直フロントポーチ期間ＦＰ´においては表示動作及びタッチ検出動作が実行されない（ブランキング期間）。
なお、垂直フロントポーチ期間ＦＰ´よりも前に１フレームの画像の表示動作は終了しているため、垂直フロントポーチ期間ＦＰ´中に表示動作は実行される必要はない。
【００９２】
しかしながら、垂直フロントポーチ期間ＦＰ´中にタッチ検出動作が実行されない場合には、当該垂直フロントポーチ期間ＦＰ´においてタッチ操作を検出することができないため、表示装置ＤＳＰにおけるタッチ検出感度が低下する。
そこで、本実施形態においては、パネルドライバＩＣ１（に含まれるタイミングコントローラ１０７）による制御のもと、低速駆動時の１フレーム期間で表示装置ＤＳＰが動作する場合において垂直フロントポーチ期間がＦＰ´に延長された場合、当該垂直フロントポーチ期間ＦＰ´に、駆動電極Ｔｘ（として動作する共通電極ＣＯＭＥ）を駆動してタッチ検出電極Ｒｘがタッチ検出信号Ｒｘｓを出力するタッチ検出期間（第２のタッチ検出期間）を割り当てるものとする。なお、本実施形態においては、垂直フロントポーチ期間ＦＰ´にタッチ検出期間を割り当てるか否かを決定するLP_VFP_TP_ENBが予め設定されているものとする。このLP_VFP_TP_ENBは、例えばタイミングコントローラ１０７からタッチ駆動回路１０９に対して与えられるもので、タッチ駆動周波数切り替え指令として利用されている。この場合、例えば、タイミングコントローラ１０７及びタッチ駆動回路１０９は、Ｉ／Ｆ回路１０１に含まれる周波数切替判定回路の判定結果に応じて、表示調整期間において、タッチ駆動（タッチ検出動作）を実施するか否かを切り替えるように構成されたタッチ駆動切替回路を有する。周波数切替判定回路の判定結果が例えば低速駆動（低周波）への切り替えであった場合、タッチ駆動切替回路は、当該判定結果を示す切替信号を周波数切替判定回路から受信し、表示調整期間（ポーチ期間）中においてタッチ駆動を実施するための信号、例えば、ＶＳＨＤまたはＴＳＨＤ信号を出力する。なお、LP_VFP_TP_ENB＝１であれば、低速駆動時の垂直フロントポーチ期間ＦＰ´にタッチ検出期間が割り当てられるものとする。一方、LP_VFP_TP_ENB＝０とすることによって、低速駆動時の垂直フロントポーチ期間ＦＰ´にタッチ検出期間を割り当てない構成とすることも可能である。
【００９３】
以下、本実施形態に係る低速駆動時における表示装置ＤＳＰの表示動作及びタッチ検出動作について説明する。
図１３を参照して、本実施形態での低速駆動時における表示期間及びタッチ検出期間の配置について説明する。
図１３に示すようにパネルドライバＩＣ１において表示用の垂直同期信号ＶＳＹＮＣが入力される（つまり、１フレーム期間が開始される）と、垂直バックポーチ期間ＢＰを経て、表示動作及びタッチ検出動作が実行される。この場合、上記した通常駆動時と同様に、１フレーム期間においては、表示動作及びタッチ検出動作が繰り返し実行される（つまり、表示期間ＤＩＳ及びタッチ検出期間Ｔが交互に配置されている）。
【００９４】
ここで、図１１示す最後のユニットｎ＋３の後の垂直フロントポーチ期間ＦＰにおいてはタッチ検出期間Ｔは設定されておらずブランキング期間となっているが、本実施形態においては、図１３に示すようにユニットｎ＋３と垂直フロントポーチ期間ＦＰ´を含む期間においては所定の間隔でタッチ検出期間Ｔ´が割り当てられている。なお、このタッチ検出期間Ｔ´が割り当てられる所定の間隔については後述する。
【００９５】
次に、図１４を参照して、本実施形態での低速駆動時における表示動作及びタッチ検出動作について具体的に説明する。なお、上述した図１０に示す通常駆動時と同様に、１ユニット表示ライン数として４５が設定されているものとする。
また、図１４に示す垂直バックポーチ期間ＢＰ及びユニット０〜ユニット４１は、図１０に示す垂直バックポーチ期間ＢＰ及びユニット０〜４１と同様であるため、その詳しい説明を省略する。
【００９６】
ここで、図１４に示すユニット４２は、図１０に示すユニット４２（以下、通常駆動時のユニット４２と表記）に相当する。しかしながら、図１４に示すユニット４２（以下、低速駆動時のユニット４２と表記）は、当該通常駆動時のユニット４２とは開始ライン、終了ライン及びライン数が異なる。これは、通常駆動時のユニット４２にはユニット４１までの表示期間において駆動されたラインの端数のライン（１ユニット表示ライン数よりも少ない数のライン）に対する表示動作（表示期間ＤＩＳ´）が割り当てられているのに対して、低速駆動時のユニット４２には、図１３に示すように当該端数のラインに対する表示動作（表示期間ＤＩＳ´）及びタッチ検出期間Ｔ´が割り当てられていることに起因する。
【００９７】
更に、低速駆動時のユニット４２に含まれる表示期間ＤＩＳ´において駆動されるライン数は１ユニット表示ライン数よりも少ないため、当該表示期間ＤＩＳ´は、１フレーム期間において当該ユニット４２よりも前に設定されているユニット０〜ユニット４１に含まれる表示期間ＤＩＳよりも短い。このため、低速駆動時のユニット４２においては、表示期間ＤＩＳ´に対して所定のブランキング期間が付加されている。
【００９８】
なお、低速駆動時のユニット４２に含まれる表示期間ＤＩＳ´及び当該表示期間ＤＩＳ´に付加されたブランキング期間の長さは、他のユニット０〜４２に含まれる表示期間ＤＩＳの長さと同一である。また、低速駆動時のダミーユニット４２に含まれるタッチ検出期間Ｔ´の長さは、他のユニット０〜４２に含まれるタッチ検出期間Ｔと同一である。
【００９９】
これにより、低速駆動時のユニット４２に含まれる表示期間ＤＩＳ´、ブランキング期間及びタッチ検出期間Ｔ´の長さは、他のユニット０〜４２に含まれる表示期間ＤＩＳ及びタッチ検出期間Ｔと同一となる。
また、低速駆動時のユニット４２（表示期間ＤＩＳ´、ブランキング期間及びタッチ検出期間Ｔ´）の後には、低速駆動に対応するために延長された垂直フロントポーチ期間ＦＰ´が設定されている。本実施形態においては、この垂直フロントポーチ期間ＦＰ´中においても複数のユニット４３〜８５が設定されている。垂直フロントポーチ期間ＦＰ´中に設定されるユニット４３〜８４は、上記した表示期間ＤＩＳと同等の長さのブランキング期間と、タッチ検出期間Ｔ´とを含む。すなわち、ユニット４３〜８５の各々（に含まれるブランキング期間及びタッチ検出期間Ｔ´）の長さは、他のユニット０〜４２と同一である。
【０１００】
これにより、本実施形態においては、垂直フロントポーチ期間ＦＰ´中においてもタッチ検出期間Ｔ´がタッチ検出期間Ｔと同一の間隔で配置され、ユニットの単位（ユニット番号）でタッチ検出期間Ｔ´の配置を管理することができる。なお、低速駆動時におけるタッチ検出動作の周期は、通常駆動時と同様に上述したＬＯＯＰカウンタを用いて管理される。
【０１０１】
図１４に示すユニット８５は、低速駆動時の１フレーム期間を調整するために設けられており、例えばブランキング期間のみを含むユニットである。なお、図１４に示す例では、低速駆動時の有効ユニット番号（LP_VALID_UNIT_NUM）として８４が予め設定されている。
【０１０２】
なお、図１４に示すユニット４２以降の各ユニットの開始ライン、終了ライン及びライン数については上記した図１２の垂直フロントポーチ期間ＦＰ´に関して説明した通りであり、当該各ユニットには１ユニット表示ライン（ここでは、４５）が駆動される表示期間に相当するブランキング期間及びタッチ検出期間Ｔ´が含まれていることを便宜的に示している。
次に、図１５のフローチャートを参照して、本実施形態に係る表示装置ＤＳＰの駆動状態を切り替える際の当該表示装置ＤＳＰの処理手順の概要について簡単に説明する。ここでは、表示装置ＤＳＰの駆動状態が通常駆動であるものとする。
本実施形態において、上記したＩ／Ｆ回路１０１に含まれる周波数切替判定回路は、上記した所定の条件に基づいて、表示装置ＤＳＰの駆動状態を切り替えるか否かを判定する（ステップＳ１）。
なお、この所定の条件としては、例えば表示装置ＤＳＰの画面の書き換えが不要であるか否か等が含まれる。すなわち、上記したように表示装置ＤＳＰの駆動状態が通常駆動であるものとすると、表示装置ＤＳＰの画面の書き換えが不要である場合には、低速駆動としたとしても画質を低下させる等の影響が少ないため、表示装置ＤＳＰの駆動状態を切り替えると判定される。一方、表示装置ＤＳＰの画面の書き換えが不要でない場合には、低速駆動とした場合には画質の低下への影響が大きいため、表示装置ＤＳＰの駆動状態を切り替えないと判定される。
表示装置ＤＳＰの駆動状態を切り替えないと判定された場合（ステップＳ１のＮＯ）、図１５の処理は終了され、現在の駆動状態が維持された状態で、表示動作及びタッチ検出動作が実行される。
一方、表示装置ＤＳＰの駆動状態を切り替えると判定された場合（ステップＳ１のＹＥＳ）、周波数切替判定回路は、当該判定結果を示す切替信号（つまり、駆動状態を切り替える旨の信号）をタイミングコントローラ１０７に送信する。
タイミングコントローラ１０７は、周波数切替判定回路によって送信された切替信号を受信する。タイミングコントローラ１０７において切替信号が受信されると、タイミングコントローラ１０７及び表示駆動回路１０８の共同によって実現されるポーチ期間変更回路は、現在の表示調整期間（の長さ）の設定を変更する（ステップＳ２）。ここでは、現在の通常駆動時における表示調整期間が、低速駆動時における表示調整期間に変更される（すなわち、表示調整期間が延長される）。この場合、ポーチ期間変更回路は、低速駆動時における表示調整期間を示す信号を表示パネルＰＮＬに出力する。
更に、上記したようにタイミングコントローラ１０７において切替信号が受信されると、タイミングコントローラ１０７及びタッチ駆動回路１０９の共同によって実現されるタッチ駆動切替回路は、表示調整期間中のタッチ駆動（タッチ検出動作）の設定を変更する（ステップＳ３）。
ここで、表示装置ＤＳＰの駆動状態が通常駆動である場合には、上述したように表示調整期間中にタッチ検出動作は実行されない（つまり、表示調整期間中のタッチ駆動がＯＦＦに設定されている）。したがって、ここでは表示調整期間中のタッチ駆動がＯＮに変更される。この場合、タッチ駆動切替回路は、表示調整期間中においてタッチ検出動作を実行するための信号を表示パネルＰＮＬに出力する。
表示パネルＰＮＬにおいては、上記したステップＳ２及びＳ３において変更された設定（ポーチ期間変更回路及びタッチ駆動切替回路によって出力された信号）に基づき表示動作及びタッチ検出動作が実行（制御）される（ステップＳ４）。これにより、表示装置ＤＳＰの駆動状態を通常駆動から低速駆動に切り替えるとともに、当該低速駆動時における表示調整期間中にタッチ検出動作を実行することが可能となる。
ここでは、図１５に示す処理が実行される時点の表示装置ＤＳＰの駆動状態が通常駆動である場合について説明したが、当該処理が実行される時点での表示装置ＤＳＰの駆動状態が低速駆動である場合についても同様である。
具体的には、表示装置ＤＳＰの駆動状態が低速駆動である場合において例えば表示装置ＤＳＰの画面の書き換えが必要である場合、ステップＳ１においては、表示装置ＤＳＰの駆動状態を切り替えると判定される。
この場合には、ステップＳ２において低速駆動時における表示調整期間（の設定）が通常駆動時における表示調整期間に変更され、ステップＳ３において表示調整期間中のタッチ駆動がＯＦＦに変更される。また、ステップＳ４においては、このように変更された設定に基づいて表示動作及びタッチ検出動作が実行される（つまり、表示装置ＤＳＰの駆動状態が低速駆動から通常駆動に切り替えられる）。
なお、図１５の処理（ステップＳ１の処理）は、定期的に実行されるものとする。これにより、本実施形態においては、表示装置ＤＳＰの駆動状態を動的に切り替えるとともに、当該駆動状態に応じた表示動作及びタッチ検出動作を実行することが可能となる。
【０１０３】
以下、本実施形態における表示動作及びタッチ検出動作に関する各種信号について簡単に説明する。
図１６は、通常駆動時の表示動作及びタッチ検出動作に関する各種信号の関係を表すタイミングチャートである。図１６においては便宜的にユニット等については簡略化されているが、１フレーム期間においては、垂直バックポーチ期間ＢＰ、各ユニットに含まれる表示期間ＤＩＳ及びタッチ検出期間Ｔが交互に配置される期間及び垂直フロントポーチ期間ＦＰが含まれている。
【０１０４】
図１６においては、パネルドライバＩＣ１の内部信号として、ＶＳＹＮＣ、ＥＮＡＢＬＥ、ＨＳＹＮＣ及びＤａｔａが示されている。
ＶＳＹＮＣは、１フレーム期間（表示動作の周期）の開始を表す垂直同期信号（画像）である。ＥＮＡＢＬＥは、表示画素ＰＸへの画素信号の書き込みが可能であることを示すイネーブル信号（画像）である。ＨＳＹＮＣは、１フレームの画面におけるライン毎の表示動作のタイミングを表す水平同期信号（画像）である。Ｄａｔａは、ビデオメモリ１０３から読み出される画素データを表している。
【０１０５】
図１６に示すパネルドライバＩＣ１の内部信号によれば、ＶＳＹＮＣが入力された所定期間経過後にイネーブル信号がハイレベルとなり、１フレーム期間中の各表示期間ＤＩＳにおいて、水平同期信号に基づいてビデオメモリ１０３から画素データが読み込まれることが示されている。
【０１０６】
また、図１６には、表示パネルＰＮＬに入力される信号（パネル信号）として、ＶＳＴ、ＶＣＫ、Ｓｎ、ＡＳＷ、ＳＤＳＴ及びＳＤＣＫが示されている。
ＶＳＴはゲート回路スタートパルス（画像）であり、ＶＣＫはゲート回路シフトクロック（画像）である。なお、ＶＳＴ及びＶＣＫは、表示パネルＰＮＬに備えられるゲートドライバＧＤを制御するための信号である。Ｓｎは、ソース出力であり、パネルドライバＩＣ１から表示パネルＰＮＬに入力され、信号線Ｓを介して表示画素ＰＸに書き込まれる画素信号を表している。ＡＳＷは、マルチプレクサ制御スイッチであり、例えばＲＧＢを選択する信号を表している。ＳＤＳＴはタッチ検出スタートパルス、ＳＤＣＫはタッチ検出クロックである。ＳＤＳＴ及びＳＤＣＫは、上述したようにタッチ検出に関する制御信号である。
【０１０７】
このようなパネル信号（ＶＳＴ、ＶＣＫ、Ｓｎ及びＡＳＷ）が図１６に示すようなタイミングで表示パネルＰＮＬに入力されることによって、各表示期間ＤＩＳにおいて、上記した水平同期信号に同期して１ユニット表示ラインに対応する表示画素ＰＸが駆動される（当該表示画素ＰＸに画素信号が書き込まれる）ことが示されている。一方、ＳＤＳＴは上記したタッチ検出動作の周期の開始を示しており、図１６に示す例では、１フレーム期間に２周期分のタッチ検出動作が実行される例を示している。また、ＳＤＣＫは、各ユニットに含まれるタッチ検出期間Ｔの配置に応じて入力される。このようなＳＤＳＴ及びＳＤＣＫによれば、当該ＳＤＳＴ及びＳＤＣＫによって選択される駆動電極Ｔｘ（共通電極ＣＯＭＥ）が各タッチ検出期間Ｔにおいて駆動されることが示されている。
【０１０８】
更に、図１６には、タッチドライバＩＣ２に入力される信号（ＴＰＩＣ Ｉ／Ｆ）として、ＴＳＶＤ及びＴＳＨＤが示されている。ＴＳＶＤ及びＴＳＨＤは、パネルドライバＩＣ１とタッチドライバＩＣ２との同期をとるための信号（垂直同期信号及び水平同期信号）である。ＴＳＶＤは、上記したタッチ検出動作の周期の開始に応じて入力される。また、ＴＳＨＤは、各ユニットに含まれるタッチ検出期間Ｔに対応するように入力されている。
【０１０９】
タッチドライバＩＣ２は、図１６に示すようなタイミングで入力されるＴＳＶＤ及びＴＳＨＤに基づいて、タッチ検出期間Ｔにおいてタッチ検出電極Ｒｘから出力されたタッチ検出信号からタッチ位置を検出することができる。
また、図１６には、ホスト装置ＨＯＳに入力される信号（ＨＯＳＴ Ｉ／Ｆ）として、ＴＥが示されている。ＴＥは、パネルドライバＩＣ１からホスト装置ＨＯＳに入力されるＶＳＹＮＣ信号（マスタ同期信号）である。なお、図示されていないが、タッチドライバＩＣ２によって検出されたタッチ位置は、ホスト装置ＨＯＳに出力される。表示装置ＤＳＰにおいては、ＶＳＣＹＮＣ信号（マスタ同期信号）、上記したＴＳＶＤ及びＴＳＨＤ等を用いることによって、パネルドライバＩＣ１、タッチドライバＩＣ２及びホスト装置ＨＯＳ間で同期した動作が実現される。
【０１１０】
図１７は、本実施形態における低速駆動時の表示動作及びタッチ検出動作に関する各種信号の関係を表すタイミングチャートである。一方、図１８は、上述した比較例における低速駆動時の表示動作及びタッチ検出動作に関する各種信号の関係を表すタイミングチャートである。なお、ここでは図１６と同様の部分については、その詳しい説明を省略する。
【０１１１】
図１７に示すように、本実施形態における低速駆動時においては、図１８と比較して、垂直フロントポーチ期間ＦＰ´にタッチ検出期間Ｔ´が設定されている。具体的には、垂直フロントポーチ期間ＦＰ´においては、パネル信号としてＳＤＳＴ及びＳＤＣＫが表示パネルＰＮＬに入力されており、ＴＳＶＤ及びＴＳＨＤがタッチドライバＩＣ２に入力されている。
これにより、本実施形態においては、低速駆動によって延長された垂直フロントポーチ期間ＦＰ´にタッチ検出期間Ｔと同一の間隔で配置されたタッチ検出期間Ｔ´においてもタッチ検出動作が実行される。 
【０１１２】
上記したように本実施形態においては、通常駆動時の１フレーム期間（第１の１フレーム期間）よりも長い１フレーム期間（第２の１フレーム期間）で低速駆動する場合に垂直フロントポーチ期間ＦＰ（表示調整期間）が垂直フロントポーチ期間ＦＰ´に延長され、当該垂直フロントポーチ期間ＦＰ´にタッチ検出期間Ｔ´（第２のタッチ検出期間）が割り当てられる。
【０１１３】
本実施形態においては、このような構成により、通常駆動時と比較して低速駆動時の垂直フロントポーチ期間ＦＰ´が長期間となる場合であっても、当該垂直フロントポーチ期間ＦＰ´においてタッチ操作を検出することが可能となる。すなわち、本実施形態においては、表示装置ＤＳＰを低速駆動させることによって消費電力を低減させることができるとともに、低速駆動時であってもタッチ検出感度の低下を抑制することが可能となる。
【０１１４】
また、本実施形態において、低速駆動時の１フレーム期間に含まれる表示期間ＤＩＳ及びタッチ検出期間Ｔの長さは、通常駆動時の１フレーム期間に含まれる表示期間ＤＩＳ及びタッチ検出期間Ｔの長さと同一である。本実施形態においては、このような構成により、通常駆動時の画質を維持したまま表示装置ＤＳＰを低速駆動させることが可能となる。また、通常駆動時と低速駆動時で表示動作を変える必要がないため、当該表示動作に関する制御を簡易化することが可能である。
【０１１５】
また、本実施形態においては、ビデオメモリ１０３に書き込まれた画素データに基づいて、例えば画像の書き換えが不要である場合に通常駆動（第１の１フレーム期間）を低速駆動（第２の１フレーム期間）に動的に切り替えることが可能である。本実施形態においては、このように動的に低速駆動に切り替えることにより、省電力化を図ることができる。
【０１１６】
更に、本実施形態においては、表示期間ＤＩＳ及びタッチ検出期間Ｔが１フレーム期間に交互に配置されており、低速駆動時の１フレーム期間の垂直フロントポーチ期間ＦＰ´に割り当てられるタッチ検出期間Ｔ´は、タッチ検出期間Ｔと同一の長さを有し、当該タッチ検出期間Ｔと同一の間隔で配置される。本実施形態においては、このような構成により、通常駆動時のタッチ検出動作の周期（タッチ駆動の駆動周波数）を一定に維持したまま表示装置ＤＳＰを低速駆動させることが可能となる。
【０１１７】
また、本実施形態においては、タッチ検出動作（タッチ駆動動作）の周期を表示動作の周期と独立して制御（管理）する構成により、例えば低速駆動時におけるタッチ検出感度を向上させるようにタッチ検出動作を設定すること等が可能となる。
また、本実施形態においては、表示用の共通電極（表示期間に表示駆動電圧が印加される複数の共通電極）がタッチ検出用の駆動電極（タッチ駆動電圧が印加される複数の駆動電極）として用いられる構成により、表示装置ＤＳＰの薄型化及び画質の向上を実現することができる。
【０１１８】
更に、本実施形態においては、低速駆動時に延長された垂直フロントポーチ期間ＦＰ´にタッチ検出期間Ｔ´が割り当てられる構成により、極性反転を行った後、画像が書き込まれるまでの時間を一定にすることができる。なお、例えば低速駆動時に垂直バックポーチ期間ＢＰを延長し、当該延長された垂直バックポーチ期間ＢＰにタッチ検出期間Ｔ´が割り当てられる構成としてもよい。
【０１１９】
なお、本実施形態においては共通電極ＣＯＭＥが走査線Ｇに沿って配置される場合について説明したが、本実施形態は、例えば共通電極ＣＯＭＥが信号線Ｓに沿って配置される表示装置ＤＳＰに適用されても構わない。また、本実施形態は、１フレーム期間に表示期間、タッチ検出期間及び表示調整期間が含まれており、低速駆動時等において当該表示調整期間が延長されるものであれば適用可能である。すなわち、本実施形態は、共通電極ＣＯＭＥの形状等に限定されるものではなく、例えば表示画素毎に（つまり、ブロック状の）共通電極が配置されるような構成に適用されても構わない。更に、タッチ検出機構ＳＥは、駆動電極と検出電極を備える相互容量検出方式を示したが、自己容量検出方式のものでもよい。自己容量検出方式は、例えば複数の共通電極がマトリクス状に配列されて、各共通電極に対するタッチと非タッチにおいて電極容量が変化することを検出する方式である。また、本実施形態においてはインセル型と称されるタッチ検出機構ＳＥを備える表示装置ＤＳＰについて説明したが、本実施形態は、例えばオンセル型のタッチ検出機構を備える表示装置ＤＳＰについて適用されても構わない。更に、本実施形態に係る表示パネルＰＮＬは、バックライトを備える透過型の液晶表示装置を説明したが、上記したように、反射型等の液晶表示装置でもよいし、更に液晶層を用いたものに限られず、例えば有機ＥＬパネル等を用いたものであってもよい。有機ＥＬパネルにおいては、上記の共通電極ＣＯＭＥは、複数の有機ＥＬ素子の画素電極と有機発光層を介して対向し、駆動電極を構成してもよい。
【０１２０】
また、本実施形態に係る表示装置ＤＳＰ（タッチ検出機能付き表示装置）は、各種電子機器に組み込まれて使用されても構わない。表示装置ＤＳＰが組み込まれる電子機器には、例えばテレビジョン装置、デジタルカメラ、ビデオカメラ、ノートブック型パーソナルコンピュータ、タブレットコンピュータ及びスマートフォン（携帯電話）、車載用ディスプレイ等が含まれる。本実施形態に係る表示装置ＤＳＰは、画像（映像）を表示する様々な分野の電子機器に組み込み可能である。
【０１２１】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。  
【符号の説明】
【０１２２】
ＤＳＰ…タッチ検出機能付き表示装置、ＰＮＬ…表示パネル（表示部）、ＳＥ…タッチ検出機構（検出部）、ＩＣ１…パネルドライバ（制御部）、ＩＣ２…タッチドライバ、Ｒｘ…タッチ検出電極、ＨＯＳ…ホスト装置、ＧＤ…ゲートドライバ、ＳＤ…ソースドライバ、ＣＤ…共通電極ドライバ、ＰＸ…表示画素（表示素子）、ＣＯＭＥ…共通電極（駆動電極）、１０１…Ｉ／Ｆ回路、１０２…データ処理回路、１０３…ビデオメモリ、１０４…表示用ラインデータラッチ回路、１０５…ソース増幅器、１０６…内部発振器、１０７…タイミングコントローラ、１０８…表示駆動回路、１０９…タッチ駆動回路、２０１…シフトレジスタ回路、２０２…選択回路、２０３…切替回路。
【図１】
2018060319.tif 000003
【図２】
2018060319.tif 000004
【図３】
2018060319.tif 000005
【図４】
2018060319.tif 000006
【図５】
2018060319.tif 000007
【図６】
2018060319.tif 000008
【図７】
2018060319.tif 000009
【図８】
2018060319.tif 000010
【図９】
2018060319.tif 000011
【図１０】
2018060319.tif 000012
【図１１】
2018060319.tif 000013
【図１２】
2018060319.tif 000014
【図１３】
2018060319.tif 000015
【図１４】
2018060319.tif 000016
【図１５】
2018060319.tif 000017
【図１６】
2018060319.tif 000018
【図１７】
2018060319.tif 000019
【図１８】
2018060319.tif 000020